(57)【要約】【課題】本発明は、使い勝手が良く、設計の自由度が高い電子機器を提供することを目的とする。【解決手段】インタフェースケーブルが接続されるコネクタを有する回路部と、前記コネクタから外部空間に至る前記インタフェースケーブルの配線経路と前記配線経路を露出させる接続開口部とを有し前記回路部を収容しているケースと、前記接続開口部を開閉するカバーと、を備える。【選択図】図１
2008260303.tif 000002
【特許請求の範囲】
【請求項１】
インタフェースケーブルが接続されるコネクタを有する回路部と、
前記コネクタから外部空間に至る前記インタフェースケーブルの配線経路と前記配線経
路を露出させる接続開口部とを有し前記回路部を収容しているケースと、
前記接続開口部を開閉するカバーと、を備えることを特徴とする電子機器。
【請求項２】
前記ケースは、前部に操作パネルが設けられ、前記外部空間と前記配線経路とを連絡す
る接続口を後部に有することを特徴とする請求項１に記載の電子機器。
【請求項３】
前記接続開口部は、前記配線経路の全体を露出させることを特徴とする請求項１又は２
に記載の電子機器。
【発明の詳細な説明】
【技術分野】
【０００１】
本発明は、電子機器に関する。
【背景技術】
【０００２】
従来、インタフェースケーブルで接続された他の機器とデータ通信する電子機器が知ら
れている。例えば、プリンタ、イメージスキャナ、複合機等は、ＵＳＢ、ＩＥＥＥ１３９
４等の各種の規格の有線インタフェースでパーソナルコンピュータに接続して使用される
。
デスクトップ型コンピュータ、プリンタ、イメージスキャナ、複合機等の据え置き型の
電子機器同士を接続する場合、各機器の後方にインタフェースケーブルを配線することが
望ましい。したがって、従来の据え置き型電子機器では、ケースの前部に操作パネルを設
け、ケースの後部にインタフェースケーブルのコネクタを設けて使い勝手を良くしている
。また、これらの据え置き型の電子機器にリムーバブルメモリのインタフェースを設ける
場合、リムーバブルメモリを差し込むためのスロットをケースの前部に設けることが望ま
しい。
【０００３】
一方、ケースの内部では、高周波信号の同期制御の信頼性向上等のため、インタフェー
スケーブルのコネクタと、インタフェースの制御部を構成するチップと、リムーバブルメ
モリの制御部を構成するチップと、中央制御部を構成するチップとは、同一基板上に相互
に近接して実装することが望ましい。
しかし、上述したような、使い勝手から生ずるケース外部のレイアウトに対する要求と
、実装技術におけるケース内部のレイアウトに対する要求とを同時に満足させながら意匠
設計の自由度を確保することは一般に困難である。
【発明の開示】
【発明が解決しようとする課題】
【０００４】
本発明は、上述の問題に鑑みて創作されたものであって、使い勝手が良く、設計の自由
度が高い電子機器を提供することを目的とする。
【課題を解決するための手段】
【０００５】
上記目的を達成するため、本発明に係る電子機器は、インタフェースケーブルが接続さ
れるコネクタを有する回路部と、前記コネクタから外部空間に至る前記インタフェースケ
ーブルの配線経路と前記配線経路を露出させる接続開口部とを有し前記回路部を収容して
いるケースと、前記接続開口部を開閉するカバーと、を備えることを特徴とする。電子機
器の内部にインタフェースケーブルの配線経路を設けることによって、コネクタの位置か
ら遠くても使い勝手が良くなる位置でインタフェースケーブルを電子機器の内部空間から
外部空間に引き出すことができる。また、電子機器の内部の配線経路を露出させる接続開
口部とそれを開閉するカバーを備えることによって、電子機器の内部に設けられたコネク
タにインタフェースケーブルを抜き差しすることができる。したがって、本発明によると
、使い勝手が良く、設計の自由度が高い電子機器を実現することができる。
【０００６】
さらに本発明に係る前記ケースの前部には、操作パネルが設けられ、前記外部空間と前
記配線経路とを連絡する接続口を後部に有することを特徴とする。ケースの前部に操作パ
ネルを設け、ケースの後部にケーブルの接続口を設けることによって、据え置き型の電子
機器の使い勝手を向上させることができる。
【０００７】
さらに本発明に係る前記接続開口部は、前記配線経路の全体を露出させることを特徴と
する。配線経路の全体を露出できる構成を採ることにより、インタフェースケーブルの脱
着が容易になる。
【０００８】
さらに本発明に係る電子機器は、前記ケースに収容される印刷部をさらに備え印刷装置
として機能する電子機器であって、前記ケースは、前記印刷部を露出させる保守開口部を
有し、前記カバーは、前記接続開口部及び前記保守開口部を閉塞する位置から前記接続開
口部及び前記保守開口部を開放する位置まで移動可能に前記ケースに連結されていること
を特徴とする。印刷部を保守するための保守開口部を閉塞するカバーを移動させることに
よってインタフェースケーブルの配線経路を露出させる接続開口部も開放される構成を採
ることにより、印刷装置として機能する電子機器の構造が簡素になる。
【０００９】
さらに本発明に係る前記ケースは、前部に操作パネル及びリムーバブルメモリの挿入口
を有し前記外部空間と前記配線経路を連絡する接続口を後部に有し、前記回路部は、前記
リムーバブルメモリを制御するメモリ制御部と、前記インタフェースケーブルを介する信
号の送受信を制御するインタフェース制御部と、前記コネクタと前記メモリ制御部と前記
インタフェース制御部とを実装する基板と、を有することを特徴とする。コネクタと、メ
モリ制御部と、インタフェース制御部とを１つの基板上に実装することにより、高速で信
号処理する電子機器の信頼性を向上させることができる。また、操作パネル及びリムーバ
ブルメモリをケースの前部に設け、インタフェースケーブルの接続口をケースの後部に設
け、インタフェースケーブルの配線経路を電子機器の内部に設けることにより、信頼性を
落とすことなく電子機器の使い勝手を向上させ製造コストを低減することができる。
【００１０】
さらに本発明に係る前記ケースは、前記印刷部で印刷されるデータを入力するためのイ
ンタフェースケーブルの接続口を前部と後部に少なくとも１つずつ有し、前記回路部は、
前記配線経路を通じて外部空間に導出される第一のインタフェースケーブルが接続され前
記接続口の一方から離間している第一コネクタと、前記接続口の他方から露出し前記第二
のインタフェースケーブルが接続される第二コネクタと、前記第一のインタフェースケー
ブル及び前記第二のインタフェースケーブルを介する信号の送受信を制御するインタフェ
ース制御部と、前記第一コネクタと前記第二コネクタと前記インタフェース制御部とを実
装する基板とを有することを特徴とする。２つのコネクタとそれらのコネクタに接続され
るインタフェースケーブルを介する信号の送受信を制御するインタフェース制御部とを１
つの基板上に実装することにより、高速で信号処理する電子機器の信頼性を向上させるこ
とができ、またコネクタ毎に制御部を設ける場合に比べて製造コストを低減し小型化でき
る。また、印刷部にデータを入力するための２つのインタフェースケーブルの一方をケー
スの後部から接続し、他方をケースの前部から接続可能な構成を採用することにより、デ
スクトップ型コンピュータ等の据え置き型の電子機器に接続するインタフェースケーブル
をケースの後方に配線し、ディジタルカメラ等の携帯型の電子機器に接続するインタフェ
ースケーブルをケースの前方に配線できるため、印刷機能を有する電子機器の使い勝手を
向上できる。
【発明を実施するための最良の形態】
【００１１】
以下、本発明の実施の形態を実施例に基づいて説明する。
図１は、本発明の実施例に係る複合機１の斜視図である。また、図２は複合機１の前部
を正面に見た平面図である。複合機１の筐体は、プリンタケース２、フロントケース４、
スキャナケース３等により構成される。
【００１２】
請求項に記載のケースとしてのプリンタケース２には保守開口部６が形成されている。
保守開口部６により、請求項に記載の印刷部としてのキャリッジ２０、及びインクカート
リッジ２２等が露出されている。キャリッジ２０には、インクカートリッジ２２に充填さ
れたインクを印刷用紙に向かって噴射する図示しない印刷ヘッドが搭載されている。
尚、印刷部は、インクジェット方式、レーザー方式等、どのような印刷方式で構成され
ていてもよい。また、保守開口部６は、給排紙機構だけを露出させる紙詰まり対策のもの
であってもよい。
【００１３】
請求項に記載のカバーとしてのスキャナケース３は、保守開口部６を閉塞する位置から
保守開口部６を開放する位置まで移動可能にプリンタケース２に揺動自在に連結されてい
る。スキャナケース３が保守開口部６を開放する姿勢では、プリンタケース２の上部全体
が開放される。
尚、スキャナケース３がプリンタケース２の上部でスライドできるようにスキャナケー
ス３とプリンタケース２を連結する構造でもよい。
【００１４】
請求項に記載のケースとしてのフロントケース４は、プリンタケース２の前部の上部に
取り付けられる。フロントケース４には操作パネル８が設けられている。
図３は図１の領域Ａの拡大図である。フロントケース４には凹部１０が形成され、凹部
１０の側壁１２には第一開口部１４が形成されている。請求項に記載の第一コネクタとし
てのＰＣ接続用のＵＳＢコネクタ（ＰＣ用ＵＳＢコネクタ）１６が第一開口部１４により
露出される。ＰＣ用ＵＳＢコネクタ１６には、請求項に記載の第一のインタフェースケー
ブルとしてのＰＣ接続用のＵＳＢケーブル（ＰＣ用ＵＳＢケーブル）１８が接続される。
【００１５】
図１及び図４、図５、図６、図７に示すように、プリンタケース２の側方には、凹部１
０からプリンタケース２の後部に伸びる溝部２４が形成されている。溝部２４には、ＰＣ
用ＵＳＢケーブル１８が収められる。溝部２４は、ＰＣ用ＵＳＢケーブル１８をプリンタ
ケース２の後部に案内する請求項に記載の配線経路を形成している。
【００１６】
図１及び図４、図５、図６、図７に示すように、複合機１の背面には接続口２６が形成
されている。接続口２６は溝部２４の一端に相当し、外部空間と溝部２４が形成している
配線経路とを連通する。ＰＣ用ＵＳＢケーブル１８は接続口２６から機外に導出される。
図示しないデスクトップ型コンピュータ等の据え置き型の電子機器（ＰＣ）がＰＣ用ＵＳ
Ｂケーブル１８を介して複合機１に接続される。第一開口部１４、凹部１０、溝部２４及
び接続口２６が請求項に記載の配線経路に相当する。また、凹部１０の上部開口部２８、
溝部２４の上部開口部３０、及び接続口２６の上部開口部３２が請求項に記載の接続開口
部に相当する。
【００１７】
図１及び図２に示すように、プリンタケース２の前面には第二開口部３４が形成されて
いる。請求項に記載の第二コネクタとしての外部メモリ機器接続用のＵＳＢコネクタ（外
部メモリ用ＵＳＢコネクタ）３６が第二開口部３４により露出されている。外部メモリ用
ＵＳＢコネクタ３６には、請求項に記載の第二のインタフェースケーブルとしての外部メ
モリ機器接続用のＵＳＢケーブル（外部メモリ用ＵＳＢケーブル）３７が接続される。図
示しない外部メモリ機器が外部メモリ用ＵＳＢケーブル３７を介して複合機１に接続され
る。
【００１８】
プリンタケース２の前面には複数種類のリムーバブルメモリの挿入口３８が形成されて
いる。挿入口３８には図示しないリムーバブルメモリが差し込まれ、リムーバブルメモリ
は後述するリムーバブルメモリ用のコネクタ（メモリコネクタ）４０に接続される。
【００１９】
図８はフロントケース４を取り外した状態の複合機１を上方から見た平面図である。
請求項に記載の回路部としてのメインボード４２は、プリンタケース２の前部に設置さ
れている。
メインボード４２には、ＰＣ用ＵＳＢコネクタ１６、外部メモリ用ＵＳＢコネクタ３６
、メモリコネクタ４０、ＵＳＢコントローラ内蔵のＣＰＵ４４、図示しないメモリ、リム
ーバブルメモリ用のコントローラ（メモリコントローラ）４６等が実装されている。ＰＣ
用ＵＳＢコネクタ１６はプリンタケース２の後部に形成された接続口２６から離間した位
置に配置されている。外部メモリ用ＵＳＢコネクタ３６はプリンタケース２の前部に形成
された第二開口部３４の近傍に配置されている。メモリコネクタ４０は挿入口３８の近傍
に配置されている。
【００２０】
ＣＰＵ４４には、図示しないメモリ、ＰＣ用ＵＳＢコネクタ１６、外部メモリ用ＵＳＢ
コネクタ３６、及びメモリコントローラ４６が電気的に接続されている。ＣＰＵ４４は図
示しないメモリに記憶されているプログラムに基づいて複合機１の各部を制御する。ＣＰ
Ｕ４４は、請求項に記載のインタフェース制御部としても機能する。ＣＰＵ４４は、ＵＳ
Ｂ通信によりＰＣから制御信号及び画像データ等を受信する。また、ＣＰＵ４４はＵＳＢ
通信により外部メモリ機器から画像データ等を受信する。
尚、ＵＳＢコントローラ内蔵のＣＰＵ４４を例示したが、ＣＰＵとＵＳＢコントローラ
は別チップでもよい。
【００２１】
メモリコントローラ４６にはメモリコネクタ４０が電気的に接続されている。ＣＰＵ４
４はメモリコントローラ４６を制御する。メモリコントローラ４６はリムーバブルメモリ
を制御してリムーバブルメモリから印刷対象の画像データ等を読み込む。メモリコントロ
ーラ４６及びメモリコネクタ４０が請求項に記載のメモリ制御部に相当する。
【００２２】
上述の実施例によると、接続口２６をプリンタケース２の後部に設け、頻繁に着脱しな
いＰＣ用ＵＳＢケーブル１８を複合機１の後部から導出する。従って、据え置き型の電子
機器に接続するＰＣ用ＵＳＢケーブル１８の配線が目立たず、見た目がよい。
また、第二開口部３４及び挿入口３８を操作パネル８が設けられている前面側に設ける
ことにより、ユーザにより頻繁に行われる外部メモリ機器の着脱、リムーバブルメモリの
挿脱、及び操作パネルの操作を前面側から行うことができるため、操作性がよい。従って
複合機１の使い勝手が向上する。
【００２３】
また、第一開口部１４、凹部１０、及び溝部２４を設けることにより、ＰＣ用ＵＳＢケ
ーブル１８を複合機１の前面側から接続口２６が設けられている背面側に案内し、複合機
１の接続口２６から導出するため、ＰＣ用ＵＳＢコネクタ１６を複合機１の前面側に配置
することができる。従って、第二開口部３４の近傍に配置される外部メモリ用ＵＳＢコネ
クタ３６、挿入口３８の近傍に配置されるメモリコネクタ４０、ＣＰＵ４４、及びメモリ
コントローラ４６を同一のメインボード４２に実装することができるため、使い勝手を損
なうことなく、ＣＰＵ４４とＰＣの間のＵＳＢ通信、及びＣＰＵ４４とリムーバブルメモ
リ間の信号処理の信頼性を向上することができ、またメインボード４２の設計の自由度を
向上することができる。またメインボード４２のサイズを小型化でき、製造コストを低減
できる。また、ＵＳＢコントローラを実装する別基板を設けてメインボードとコネクタ接
続またはケーブル接続する場合と比べて、回路部の製造コストを低減できる。
【００２４】
（比較例）
図１０は本発明の比較例としての複合機を示す模式図である。本発明の比較例では、プ
リンタケース２の前部に形成した第二開口部３４と挿入口３８の近傍にそれぞれ外部メモ
リ用ＵＳＢコネクタ３６とメモリコネクタ４０を配置し、プリンタケース２の後部に形成
した接続口２６の近傍にＰＣ用ＵＳＢコネクタ１６を配置している。高速の信号が伝送さ
れるため、外部メモリ用ＵＳＢコネクタ３６、メモリコネクタ４０、及びＰＣ用ＵＳＢコ
ネクタ１６は同一のメインボード４２に実装されるのが望ましい。従って、メインボード
４２はプリンタケース２の前部から後部までのびる形状となる。また、プリンタケース２
の中央部には、キャリッジ２０等の印刷部や図示しない給排紙機構が配置されているため
、メインボード４２はプリンタケースの側部に垂直に設置される。すなわち、本発明の比
較例としての複合機では、ＰＣ用ＵＳＢコネクタ１６をケースの後部に設けているため、
外部メモリの挿入口３８が縦長でプリンタケース２の側部に偏ったデザインになる。
【００２５】
一方、上述の実施例によると、配線経路でＰＣ用ＵＳＢケーブル１８を自由に案内する
ため、所定の位置にＰＣ用ＵＳＢコネクタ１６を配置し、所定の位置に接続口２６を形成
することができる。従って、メインボード４２をプリンタケース２の前部に水平に設置で
きるため、図２に示すように第二開口部３４及び挿入口３８は横長になる。また、挿入口
３８をプリンタケース２の前部の中央に形成することができる。操作パネル８の横長のデ
ザインに対して第二開口部３４及び挿入口３８が縦長のデザインとなる比較例のデザイン
と比較して、すっきりとしたデザインにすることができる。つまり、外観のデザインの自
由度を向上することができる。
【００２６】
さらに、スキャナケース３を保守開口部６が開放する姿勢にすると、第一開口部１４、
凹部１０、溝部２４、及び接続口２６の全てを露出することができる。従って、複合機１
の内部に設けられたＰＣ用ＵＳＢコネクタ１６にＰＣ用ＵＳＢケーブル１８を容易に抜き
差しすることができるため、使い勝手が向上する。また、保守開口部６を開閉するスキャ
ナケース３を接続開口部のカバーとしているため、別途の構造が必要ない。従って複合機
１の構造が簡素になる。
【００２７】
尚、上述の実施例では、フロントケース４の外壁で構成される溝部２４でＰＣ用ＵＳＢ
ケーブル１８を案内したが、図９に示すように、コネクタ１６が実装された基板４２が収
容されるケース１の内部でＰＣ用ＵＳＢケーブル１８が係止されていなくても良い。
また、ＰＣ用ＵＳＢコネクタ１６にＰＣ用ＵＳＢケーブル１８を抜き差しすることがで
きるのであれば、図９に示すように、接続開口部としての開口部１０６と、開口部１０６
を開閉するカバー１０３とをケース２に設けて配線経路を部分的に露出させてもよい。
また、上述の実施例では接続開口部がケースの外部に設けられケースの内部空間と連絡
していないが、図９に示すようにケース２の内部空間と外部空間を連絡する開口部１０６
にしてもよい。
【００２８】
また、上述の実施例では、電子機器として複合機１を例示したが、本発明を適用する電
子機器は、スキャナでもよいし、プリンタでもよいし、据え置き型のＰＣ等でもよい。
また、上記の実施例では、インタフェースケーブルとして、ＵＳＢケーブルを例示した
が、ＩＥＥＥ１３９４ケーブル、パラレルケーブル等、どのような規格のケーブルでもよ
い。
【図面の簡単な説明】
【００２９】
【図１】本発明の一実施例に係る斜視図である。
【図２】本発明の一実施例に係る平面図である。
【図３】図１の領域Ａが示す範囲の拡大図である。
【図４】本発明の一実施例に係る模式図である。
【図５】図５のＢ−Ｂ線に対する断面図である。
【図６】図５のＣ−Ｃ線に対する断面図である。
【図７】図５のＤ−Ｄ線に対する断面図である。
【図８】本発明の一実施例に係る平面図である。
【図９】本発明の一実施例に係る模式図である。
【図１０】従来例に係る模式図である。
【符号の説明】
【００３０】
１…複合機、２…プリンタケース（ケース）、３…スキャナケース（カバー）、６…保
守開口部、８…操作パネル、１０…凹部（配線経路）、１６…ＰＣ用コネクタ（第一コネ
クタ）、１８…ＰＣ用ＵＳＢケーブル（第一のインタフェースケーブル）、２０…キャリ
ッジ（印刷部）、２２…インクカートリッジ（印刷部）、２４…溝部（配線経路）、２６
…接続口（配線経路）、２８…上部開口部（接続開口部）、３０…上部開口部（接続開口
部）、３２…上部開口部（接続開口部）、３６…コネクタ（第二コネクタ）、３７…外部
メモリ用ＵＳＢケーブル、３８…挿入口、４０…メモリコネクタ（メモリ制御部）、４２
…メインボード（回路部）、４６…メモリコントローラ（メモリ制御部）。
【図１】
2008260303.tif 000003
【図２】
2008260303.tif 000004
【図３】
2008260303.tif 000005
【図４】
2008260303.tif 000006
【図５】
2008260303.tif 000007
【図６】
2008260303.tif 000008
【図７】
2008260303.tif 000009
【図８】
2008260303.tif 000010
【図９】
2008260303.tif 000011
【図１０】
2008260303.tif 000012